(57)【特許請求の範囲】
【請求項１】
任意のデザイナが使用する第１の情報処理装置と、特定のデザイナが使用する第２の情報処理装置と、コンテンツの配信を受ける利用者が使用する第３の情報処理装置と、請回収および対価支払の処理を行う業者が使用する第４の情報処理装置と、各情報処理装置と通信回線を介して接続される第１のサーバとが接続された情報処理システムであって、
前記第１のサーバは、
前記第１の情報処理装置から送信される前記任意のデザイナが作成したコンテンツを受け付け第１のコンテンツＤＢに当該コンテンツを登録する第１の登録処理部と、
前記第２の情報処理装置から送信される前記特定のデザイナが作成したコンテンツを受け付け第２のコンテンツＤＢに当該コンテンツを登録する第２の登録処理部と、
前記第３の情報処理装置からのコンテンツの配信要求に応じて前記第１のコンテンツＤＢおよび第２のコンテンツＤＢに登録されたコンテンツを選択可能に配信し、実際に使用されたコンテンツの使用に関する情報を記録するコンテンツ配信処理部と、
前記第１のコンテンツＤＢおよび第２のコンテンツＤＢに登録されたコンテンツの利用者の使用に応じた利用者への課金およびコンテンツ作成者への対価支払の計算処理を行い、前記第４の情報処理装置へ計算処理結果に基づく請回収・支払処理の依頼をする課金・支払計算処理部と、
前記第１のコンテンツＤＢへのコンテンツの登録の際および前記第１のコンテンツＤＢのコンテンツの配信の際に、前記第１のコンテンツＤＢに登録されたコンテンツの使用量に応じて、該当のコンテンツにランク付けを行うコンテンツランク付加・更新処理部と、
を備え、
前記第３の情報処理装置は、
前記第１のサーバへコンテンツの配信要求をし、前記サーバから配信を受けたコンテンツの、利用者による選択を受け付け、選択決定されたコンテンツを、前記第３の情報処理装置に備わる印刷装置により包装用パッケージに印刷できるようにし、
前記課金・支払計算処理部は、前記第１のコンテンツＤＢに登録されたコンテンツの利用者の使用に応じた利用者への課金およびコンテンツ作成者への対価支払の計算処理を行う際、前記ランク付けを加味した前記計算処理を行い、前記第２のコンテンツＤＢに登録されたコンテンツの利用者の使用に応じた利用者への課金およびコンテンツ作成者への対価支払の計算処理を前記特定のデザイナとの契約に従い行う
ことを特徴とする情報処理システム。
【請求項２】
前記第３の情報処理装置は、実際に使用する包装用パッケージを仮想化したバーチャルパッケージに前記コンテンツを合成して表示したものから、前記コンテンツを選択できるようにしたことを特徴とする請求項１に記載の情報処理システム。
【請求項３】
商品に関連する関連情報を配信する関連情報配信部を備える第２のサーバをさらに備え、
前記第３の情報処理装置は、前記包装用パッケージを用いて包装する商品に関連した前記関連情報にアクセスできるようにするリンク情報を、前記印刷装置により前記包装用パッケージに印刷することを特徴とする請求項１または２に記載の情報処理システム。
【請求項４】
前記リンク情報は、二次元バーコードであることを特徴とする請求項３に記載の情報処理システム。
【請求項５】
任意のデザイナが使用する第１の情報処理装置と、特定のデザイナが使用する第２の情報処理装置と、コンテンツの配信を受ける利用者が使用する第３の情報処理装置と、請回収および対価支払の処理を行う業者が使用する第４の情報処理装置と、各情報処理装置と通信回線を介して接続される第１のサーバとが接続された情報処理システムにおける情報処理方法であって、
前記第１のサーバにおいて、
第１の登録処理部が、前記第１の情報処理装置から送信される前記任意のデザイナが作成したコンテンツを受け付け第１のコンテンツＤＢに当該コンテンツを登録する第１の登録処理工程と、
第２の登録処理部が、前記第２の情報処理装置から送信される前記特定のデザイナが作成したコンテンツを受け付け第２のコンテンツＤＢに当該コンテンツを登録する第２の登録処理工程と、
コンテンツ配信処理部が、前記第３の情報処理装置からのコンテンツの配信要求に応じて前記第１のコンテンツＤＢおよび第２のコンテンツＤＢに登録されたコンテンツを選択可能に配信し、実際に使用されたコンテンツの使用に関する情報を記録するコンテンツ配信処理工程と、
課金・支払計算処理部が、前記第１のコンテンツＤＢおよび第２のコンテンツＤＢに登録されたコンテンツの利用者の使用に応じた利用者への課金およびコンテンツ作成者への対価支払の計算処理を行い、前記第４の情報処理装置へ計算処理結果に基づく請回収・支払処理の依頼をする課金・支払計算処理工程と、
コンテンツランク付加・更新処理工程が、前記第１のコンテンツＤＢへのコンテンツの登録の際および前記第１のコンテンツＤＢのコンテンツの配信の際に、前記第１のコンテンツＤＢに登録されたコンテンツの使用量に応じて、該当のコンテンツにランク付けを行うコンテンツランク付加・更新処理工程と、
を実行し、
前記第３の情報処理装置において、
前記第１のサーバへコンテンツの配信要求をし、前記サーバから配信を受けたコンテンツの、利用者による選択を受け付け、選択決定されたコンテンツを、前記第３の情報処理装置に備わる印刷装置により包装用パッケージに印刷し、
前記課金・支払計算処理部が、前記第１のコンテンツＤＢに登録されたコンテンツの利用者の使用に応じた利用者への課金およびコンテンツ作成者への対価支払の計算処理を行う際、前記ランク付けを加味した前記計算処理を行い、前記第２のコンテンツＤＢに登録されたコンテンツの利用者の使用に応じた利用者への課金およびコンテンツ作成者への対価支払の計算処理を前記特定のデザイナとの契約に従い行う
ことを特徴とする情報処理方法。
【発明の詳細な説明】
【技術分野】
【０００１】
本発明は、情報処理システムおよび情報処理方法に関する。
【背景技術】
【０００２】
従来より、オフィスや家庭において文書や画像のコンテンツを市販のプリンタを用いて印刷することが行われている。オフィスにおいては、業務に係わるコンテンツが利用され、家庭では、アートやエンターテイメントに係るコンテンツなど印刷可能な様々なコンテンツが利用される。こうしたコンテンツは、記録媒体を介して配布されたり、インターネット等を介して配信されたりしている。インターネット等のネットワークを介したコンテンツ配信の手法は多数提案されている。その中でコンテンツの印刷まで含むものとしては、例えば、特許文献１や特許文献２に開示の技術がある。
【０００３】
特許文献１に開示の印刷システムは、プリンタにおいて、ロール紙に設けられているメモリからアクセス情報や用紙属性情報等を読み出し、ホストコンピュータに送信し、ホストコンピュータが、そのアクセス情報に基づいてコンテンツ配信サーバにアクセスする。ユーザは、コンテンツ配信サーバに蓄積された画像の中から所望の画像を選択し、選択された画像が現在の印刷環境で印刷可能か否かがサーバ又はホストコンピュータ側で判定されて、印刷可能な場合は、その画像データがサーバからホストコンピュータにダウンロードされ、用紙属性情報に基づく印刷設定により印刷するというものである。
【０００４】
また、特許文献２に開示の画像出力システムは、外部機器がネットワーク上の情報に対応するポインタを画像出力装置に送信し、画像出力装置がこのポインタに基づきネットワーク上の情報を取得して、その情報を出力するというものである。
【発明の概要】
【発明が解決しようとする課題】
【０００５】
しかしながら従来は、一般の印刷用紙に通常のインクを用いて印刷を行うというものであるので、耐久性の問題や、水に濡れた場合にインクが滲んでしまうといった問題があり、小売店等で用いられる包装用のパッケージにパッケージ用のコンテンツを印刷するという発想がなかった。一方、現在では、市販のプリンタ用に、ビスカスインクのような水に強いインクが開発されており、これを包装用パッケージに使用することが可能となっている。
【０００６】
また、従来は、包装用のパッケージは専門の業者に作成を依頼することがほとんどであり、パッケージ用のコンテンツをインターネット等のネットワークを介して配信し、それを利用者が包装用のパッケージに印刷するという発想がなく、ましてや、インターネットを利用する一般のユーザがパッケージ用のコンテンツを提供するという発想もなかった。
【０００７】
本発明は、上記に鑑みてなされたものであって、包装用パッケージの利用者が、多数のパッケージ用のコンテンツから所望のコンテンツを自ら選択し印刷して利用できるとともに、一般人を含む多数のコンテンツのデザイナがコンテンツの提供に参画でき、利用者およびデザイナがともに利益を享受できる情報処理システムおよび情報処理方法を提供することを目的とする。
【課題を解決するための手段】
【０００８】
上述した課題を解決し、目的を達成するために、本発明は、任意のデザイナが使用する第１の情報処理装置と、特定のデザイナが使用する第２の情報処理装置と、コンテンツの配信を受ける利用者が使用する第３の情報処理装置と、請回収および対価支払の処理を行う業者が使用する第４の情報処理装置と、各情報処理装置と通信回線を介して接続される第１のサーバとが接続された情報処理システムであって、前記第１のサーバは、前記第１の情報処理装置から送信される前記任意のデザイナが作成したコンテンツを受け付け第１のコンテンツＤＢに当該コンテンツを登録する第１の登録処理部と、前記第２の情報処理装置から送信される前記特定のデザイナが作成したコンテンツを受け付け第２のコンテンツＤＢに当該コンテンツを登録する第２の登録処理部と、前記第３の情報処理装置からのコンテンツの配信要求に応じて前記第１のコンテンツＤＢおよび第２のコンテンツＤＢに登録されたコンテンツを選択可能に配信し、実際に使用されたコンテンツの使用に関する情報を記録するコンテンツ配信処理部と、前記第１のコンテンツＤＢおよび第２のコンテンツＤＢに登録されたコンテンツの利用者の使用に応じた利用者への課金およびコンテンツ作成者への対価支払の計算処理を行い、前記第４の情報処理装置へ計算処理結果に基づく請回収・支払処理の依頼をする課金・支払計算処理部と、前記第１のコンテンツＤＢへのコンテンツの登録の際および前記第１のコンテンツＤＢのコンテンツの配信の際に、前記第１のコンテンツＤＢに登録されたコンテンツの使用量に応じて、該当のコンテンツにランク付けを行うコンテンツランク付加・更新処理部と、を備え、前記第３の情報処理装置は、前記第１のサーバへコンテンツの配信要求をし、前記サーバから配信を受けたコンテンツの、利用者による選択を受け付け、選択決定されたコンテンツを、前記第３の情報処理装置に備わる印刷装置により包装用パッケージに印刷できるようにし、前記課金・支払計算処理部は、前記第１のコンテンツＤＢに登録されたコンテンツの利用者の使用に応じた利用者への課金およびコンテンツ作成者への対価支払の計算処理を行う際、前記ランク付けを加味した前記計算処理を行い、前記第２のコンテンツＤＢに登録されたコンテンツの利用者の使用に応じた利用者への課金およびコンテンツ作成者への対価支払の計算処理を前記特定のデザイナとの契約に従い行うことを特徴とする。
【０００９】
また、本発明は、任意のデザイナが使用する第１の情報処理装置と、特定のデザイナが使用する第２の情報処理装置と、コンテンツの配信を受ける利用者が使用する第３の情報処理装置と、請回収および対価支払の処理を行う業者が使用する第４の情報処理装置と、各情報処理装置と通信回線を介して接続される第１のサーバとが接続された情報処理システムにおける情報処理方法であって、前記第１のサーバにおいて、第１の登録処理部が、前記第１の情報処理装置から送信される前記任意のデザイナが作成したコンテンツを受け付け第１のコンテンツＤＢに当該コンテンツを登録する第１の登録処理工程と、第２の登録処理部が、前記第２の情報処理装置から送信される前記特定のデザイナが作成したコンテンツを受け付け第２のコンテンツＤＢに当該コンテンツを登録する第２の登録処理工程と、コンテンツ配信処理部が、前記第３の情報処理装置からのコンテンツの配信要求に応じて前記第１のコンテンツＤＢおよび第２のコンテンツＤＢに登録されたコンテンツを選択可能に配信し、実際に使用されたコンテンツの使用に関する情報を記録するコンテンツ配信処理工程と、課金・支払計算処理部が、前記第１のコンテンツＤＢおよび第２のコンテンツＤＢに登録されたコンテンツの利用者の使用に応じた利用者への課金およびコンテンツ作成者への対価支払の計算処理を行い、前記第４の情報処理装置へ計算処理結果に基づく請回収・支払処理の依頼をする課金・支払計算処理工程とを実行し、コンテンツランク付加・更新処理工程が、前記第１のコンテンツＤＢへのコンテンツの登録の際および前記第１のコンテンツＤＢのコンテンツの配信の際に、前記第１のコンテンツＤＢに登録されたコンテンツの使用量に応じて、該当のコンテンツにランク付けを行うコンテンツランク付加・更新処理工程と、前記第３の情報処理装置において、前記第１のサーバへコンテンツの配信要求をし、前記サーバから配信を受けたコンテンツの、利用者による選択を受け付け、選択決定されたコンテンツを、前記第３の情報処理装置に備わる印刷装置により包装用パッケージに印刷し、前記課金・支払計算処理部が、前記第１のコンテンツＤＢに登録されたコンテンツの利用者の使用に応じた利用者への課金およびコンテンツ作成者への対価支払の計算処理を行う際、前記ランク付けを加味した前記計算処理を行い、前記第２のコンテンツＤＢに登録されたコンテンツの利用者の使用に応じた利用者への課金およびコンテンツ作成者への対価支払の計算処理を前記特定のデザイナとの契約に従い行うことを特徴とする。
【発明の効果】
【００１０】
本発明によれば、包装用パッケージの利用者が、多数のパッケージ用のコンテンツから所望のコンテンツを自ら選択し印刷して利用できるとともに、一般人を含む多数のコンテンツのデザイナがコンテンツの提供に参画でき、利用者およびデザイナがともに利益を享受できるという効果を奏する。
【図面の簡単な説明】
【００１１】
【図１】図１は、本発明の一実施の形態にかかる情報処理システム全体の概略構成を示すブロック図である。
【図２】図２は、ネット登録コンテンツＤＢに格納される情報の一例を示す図である。
【図３】図３は、契約デザイナコンテンツＤＢに格納される情報の一例を示す図である。
【図４】図４は、デザイナ情報ＤＢに格納される情報の一例を示す図である。
【図５】図５は、会員情報ＤＢに格納される情報の一例を示す図である。
【図６】図６は、利用者側のコンピュータにおける表示画面例を示す図である。
【図７】図７は、本実施形態の情報処理システムにおける全体の処理の流れの概要を説明する図である。
【図８】図８は、本実施形態の情報処理システムを構成する各情報処理装置およびサーバのハードウェア構成例を示す図である。
【発明を実施するための形態】
【００１２】
以下に添付図面を参照して、この発明にかかる情報処理システムおよび情報処理方法の実施の形態を詳細に説明する。
【００１３】
はじめに、本発明の一実施の形態にかかる情報処理システム全体の構成について、図１を用いて説明する。図１は、同実施の形態にかかる情報処理システム全体の概略構成を示すブロック図である。なお、以下の説明で言うコンテンツとは、包装用パッケージに印刷するためのコンテンツである。
【００１４】
図１に示すように、本実施形態の情報処理システムとしては、ＷＥＢサイト１００を中心として、一般ユーザが使用するコンピュータ２００、契約デザイナが使用するコンピュータ２１０、各利用者（例えば、農協、生協、農産物直売者、スーパー、ギフト業者、花屋等の各種業者）のコンピュータ３００、利用者に対する請回収およびコンテンツ作成者に対する支払処理を代行する業者が使用するコンピュータ４００、利用状況に関する各種解析処理（コンテンツ売れ筋解析処理、コンテンツと販売の相関関係解析処理等）を行うコンピュータ５００がネットワークを介して接続される。また、提携ＷＥＢサイト３３０にて、その関連情報配信部３４０から、ＷＥＢサイト１００から配信されたコンテンツに関連する情報を配信されるように構成される。なお、ＷＥＢサイト１００および提携ＷＥＢサイト３３０としては、サーバコンピュータを用い、コンピュータ２００、２１０、３００、４００、５００としては、ＰＣ（パーソナルコンピュータ）等を用いることができる。
【００１５】
ＷＥＢサイト１００は、本情報処理システムの核となる情報処理装置（サーバ）である。このＷＥＢサイト１００は、その記憶手段として、一般ユーザが作成し、登録のため送信してきたコンテンツを格納するネット登録コンテンツＤＢ１０１と、契約に基づき、ＷＥＢサイト１００にコンテンツを提供するデザイナ（契約デザイナ）が作成し、登録のため送信してきたコンテンツを格納する契約デザイナコンテンツＤＢ１０２と、コンテンツの登録をした一般ユーザおよび契約デザイナに関する情報であるデザイナ情報を格納するデザイナ情報ＤＢ１０３と、本情報処理システムによるコンテンツ配信を利用する利用者（会員：本実施形態では、会員制を採用する）に関する情報およびコンテンツの利用状況等を格納する会員情報ＤＢ１０４と、会員に対して提供するお勧め情報を格納するお勧め情報記憶部１０５を備える。
【００１６】
ネット登録コンテンツＤＢ１０１には、図２に示すように、登録されたコンテンツデータを識別するためのコンテンツＩＤと、コンテンツデータと、当該コンテンツの利用量（使用量）に応じて設定されるコンテンツランクと、当該コンテンツの作成者を識別するためのユーザＩＤと、当該コンテンツの利用量とが関連付けられ登録される。
【００１７】
契約デザイナコンテンツＤＢ１０２には、図３に示すように、登録されたコンテンツデータを識別するためのコンテンツＩＤと、コンテンツデータと、当該コンテンツの作成者を識別するための契約デザイナＩＤと、当該コンテンツの利用量とが関連付けられ登録される。
【００１８】
デザイナ情報ＤＢ１０３には、図４に示すように、コンテンツの作成者を識別するための上記ユーザＩＤまたは契約デザイナＩＤ（なお、これらにはパスワードを含めるものとしてもよい）と、コンテンツ作成者の氏名と、その連絡先を含むコンテンツ作成者に関する情報が登録される。
【００１９】
会員情報ＤＢ１０４には、図５に示すように、会員を特定するための会員ＩＤ（なお、これはパスワードを含めるものとしてもよい）と、会員の名称と、その連絡先とを含む会員情報が登録され、コンテンツの利用状況（どのコンテンツをどれだけ使用したかを示す情報）が記録される。
【００２０】
なお、お勧め情報記憶部１０５に登録されるお勧め情報とは、イベント等の情報を折り込んだ情報である。
【００２１】
また、ＷＥＢサイト１００には、その処理手段として、一般ユーザネット登録処理部１１１と、契約デザイナ登録処理部１１２と、コンテンツランク付加・更新処理部１１３と、コンテンツ配信処理部１１４と、課金・支払計算処理部１１５と、人気投票受付処理部１１６を備える。
【００２２】
一般ユーザネット登録処理部１１１は、一般ユーザのコンピュータ２００からのコンテンツの登録を受け付ける処理を行う処理部であり、一般ユーザ（任意のデザイナ）側から送られてきたコンテンツデータにそれを識別するためのコンテンツＩＤを割り当て、当該一般ユーザのユーザＩＤとともにネット登録コンテンツＤＢ１０１に格納する。なお、ユーザＩＤは、当該一般ユーザがコンテンツの登録のためＷＥＢサイト１００にアクセスする際、個人情報（氏名、連絡先等）とともに入力され、デザイナ情報ＤＢ１０３に登録される。本実施形態では、このように、一般ユーザ（一般人）がコンテンツを登録できる構成としている。
【００２３】
契約デザイナ登録処理部１１２は、契約デザイナ（特定のデザイナ）のコンピュータ２１０からのコンテンツの登録を受け付ける処理を行う処理部であり、契約デザイナ側から送られてきたコンテンツデータにそれを識別するためのコンテンツＩＤを割り当て、当該契約デザイナの契約デザイナＩＤとともに契約デザイナコンテンツＤＢ１０２に格納する。なお、契約デザイナＩＤは、当該契約デザイナがコンテンツの登録のためＷＥＢサイト１００にログインする際に入力され、認証のためデザイナ情報ＤＢ１０３に登録された情報と照合される。
【００２４】
コンテンツランク付加・更新処理部１１３は、一般ユーザがコンテンツを登録する際にそのコンテンツに対してコンテンツランクを付加し、その後の利用量に応じてその値を更新する処理を行う。コンテンツランクは、登録されたコンテンツをその利用量に応じてランク付けするためのデータであって、コンテンツランク付加・更新処理部１１３により、コンテンツの登録の際は最低ランクが付加され、その後利用量が増加するとその量に応じて上のランクへと更新される。なお、コンテンツは、そのランクにあわせて使用料金が設定される。従って、たくさん使用された人のコンテンツは使用料金（単価）が高くなる。
【００２５】
コンテンツ配信処理部１１４は、利用者側からのコンテンツの配信要求として受けるコンテンツの検索要求に応じて、利用者が所望するカテゴリーや種類のコンテンツを検索し、検索結果のコンテンツを利用者側に閲覧・選択可能に配信する。そして、利用者により選択決定されたコンテンツのデータ（印刷用）を当該利用者のコンピュータ３００へ配信する。その際、コンテンツの利用形態（占有（買取り）、従量制）の受付も行う。そして、どのコンテンツをどれだけ使用したか等の情報を利用状況として、会員情報ＤＢ１０４に記録する。また、ネット登録コンテンツＤＢ１０１および契約デザイナコンテンツＤＢ１０２の該当コンテンツの利用量の項目に使用量を加算し記録する。なお、コンテンツの検索要求を受け付ける際は、会員情報ＤＢ１０４の会員情報を参照し認証を行う。また、コンテンツを配信する際または適時に、利用先の業種・業態に合わせて、お勧め情報記憶部１０５に登録されたお勧め情報をプッシュ型で配信する。また、上記で検索結果のコンテンツを利用者側に閲覧・選択可能に配信する際に、印刷用のデータを配信するようにしてもよい。この場合は、コンテンツの選択結果が利用者側のコンピュータ３００からコンテンツ配信処理部１１４へ通知される。
【００２６】
コンピュータ３００上では、利用者が配信を受けるコンテンツを決定するために、実際に使用する包装用パッケージと商品とを仮想化したバーチャルパッケージ（実際の包装用パッケージと商品をデジタル画像として取り込んだイメージ）とコンテンツとを合成したイメージを表示することにより、最適なコンテンツを選択することができる。図６に表示画面例を示す。この例では、“次”および“戻る”ボタンにより、選択候補を順次表示し、“ＯＫ”ボタンで選択決定し、“キャンセル”ボタンでコンテンツの選択をキャンセルできるようにしている。もちろん、表示態様はこれに限るものではなく、任意に設計することができる。
【００２７】
コンテンツの配信を受けた利用者は、コンピュータ３００に備わる印刷装置（図示せず）によりそのコンテンツを包装用パッケージに印刷し、印刷済みの包装用パッケージ３１０を商品の包装に用いる。なお、コンテンツを印刷する際、商品に関連する関連情報にアクセスできるようにするためのリンク情報として二次元バーコード３２０等を一緒に印刷するようにしてもよい。商品の購入者は、この二次元バーコード３２０等を基に提携ＷＥＢサイト３３０側から関連情報を取得または閲覧することができる。なお、提携ＷＥＢサイト３３０が提供する情報は、利用者側にて印刷されたパッケージに含まれる二次元バーコード３２０等を用いたリンク情報により関連付けられているものとする。また、バーチャルパッケージのイメージデータやリンク情報はコンピュータ３００に事前に登録されているものとする。また、商品のトレーサビリティーのため、トレーサビリティー用の検索Ｎｏあるいは個体情報を、二次元バーコード等を用いて、包装用パッケージに印刷するようにしてもよい。
【００２８】
二次元バーコード等のリンク情報を使ったＷＥＢ連携により、例えば、材料（商品）から作れる料理に関する情報を提供する。このような情報はパッケージに印刷することも可能であるが、料理のレシピを提供している会社と提携しそのＨＰへリンクさせたり、生産者の情報や農地や収穫作業の動画を配信しているＨＰへリンクさせたりするＷＥＢ連携により、そうした情報を商品の購入者に提供することも可能となる。
【００２９】
課金・支払計算処理部１１５は、各利用者のコンテンツの利用状況に応じた利用者に対する課金のための計算とコンテンツの作成者に対する対価の支払計算を行い（なお、一般ユーザに対しては、コンテンツランクに応じた使用料金で、課金・支払計算処理が行われる）、その情報を、請回収・支払処理を行う業者のコンピュータ４００へ送信する。この業者は、コンピュータ４００で受けた情報を基に、利用者に対して会費や使用料の請求とその回収を行い、一般ユーザのコンテンツ作成者に対してその対価の支払を行う。なお、契約デザイナに対しては、契約に基づき対価の支払が行われる。
【００３０】
人気投票受付処理部１１６は、ＷＥＢサイト１００上で、一般ユーザに対し特定の課題でコンテンツの応募を募るコンクール（例えば、「じゃがいも用パッケージのコンクール」）を行い、応募されたコンテンツに対する一般ユーザの人気投票を受け付ける。応募されたコンテンツをネット登録コンテンツＤＢ１０１に登録し、人気投票の結果をコンテンツランクに反映させるようにしてもよい。
【００３１】
コンピュータ５００では、ネット登録コンテンツＤＢ１０１および契約デザイナコンテンツＤＢ１０２に記録されたコンテンツの利用量（総量）を基としたコンテンツの売上解析処理や、会員情報ＤＢ１０４に記録された利用状況を基としたコンテンツと販売の相関関係解析処理など、各種解析処理を行う。コンテンツ売れ筋解析としては、利用の多いコンテンツを集め、業種・業態と組合せてどのようなコンテンツが好まれるのか解析する。解析結果は、契約デザイナにフィードバックすることにより、コンテンツの質を向上させることができる。また、コンテンツと販売の相関関係解析としては、コンテンツを付加して良くなった例、変わらなかった例や、同一商品で複数のコンテンツを使った場合の違いを分析する。その分析結果は、利用者へ提供することも可能である。
【００３２】
次に、本実施形態の情報処理システムにおける全体の処理の流れについて、図７を用いて説明する。図７は、本実施形態の情報処理システムにおける全体の処理の流れの概要を説明する図である。
【００３３】
まず、“コンテンツの登録”として、契約デザイナによるコンテンツの登録（Ｓ７０１）、一般ユーザによるコンテンツの登録（Ｓ７０２）、およびコンテンツランクの付加・更新（Ｓ７０３）の各処理が、前述の契約デザイナ登録処理部１１２、一般ユーザネット登録処理部１１１、コンテンツランク付加・更新処理部１１３により行われる。
【００３４】
また、“コンテンツの配信”として、利用者が所望するカテゴリー、種類等に分類されるコンテンツの検索受付（Ｓ７１０）、利用者の選択用に、検索されたコンテンツを検索結果として配信する検索結果配信（Ｓ７１１）、コンテンツの利用形態（占有、従量制）の受付（Ｓ７１２）、選択決定されたコンテンツデータの配信（Ｓ７１３）の各処理が、前述のコンテンツ配信処理部１１４により行われる。
【００３５】
また、“コンテンツの利用”として、利用者側のコンピュータ３００において、コンテンツの検索要求（Ｓ７０５）、選択用にバーチャルパッケージでイメージ作成（Ｓ７０６）、利用するコンテンツの選択（Ｓ７０７）、コンテンツの利用形態（占有、従量制）の決定（Ｓ７０８）、選択決定したコンテンツのダウンロード（Ｓ７０９）の各処理が行われる。
【００３６】
また、上記“コンテンツの利用”に対応してＷＥＢサイト１００側では、“コンテンツの配信”として、利用者が所望するカテゴリー、種類等に分類されるコンテンツの検索受付（Ｓ７１０）、利用者のコンテンツ選択用に、検索されたコンテンツを検索結果として配信する検索結果配信（Ｓ７１１）、コンテンツの利用形態（占有、従量制）の受付（Ｓ７１２）、選択決定されたコンテンツデータの配信（Ｓ７１３）の各処理が、前述のコンテンツ配信処理部１１４により行われる。
【００３７】
そして、“課金処理”として、前述のように、ＷＥＢサイト１００の課金・支払計算処理部１１５による課金・支払計算処理（Ｓ７１４）が行われ、課金・支払計算処理部１１５からの依頼を受付ける情報処理装置４００を用いる業者側にて、請回収・支払処理（Ｓ７１５）が行われる。
【００３８】
また、付加的に、“人気投票”として前述の人気投票受付処理部１１６による人気投票受付処理（Ｓ７０４）が行われ、“コンテンツの解析”として、コンテンツ売れ筋解析処理（Ｓ７１６）およびコンテンツと販売の相関関係解析処理（Ｓ７１７）等の解析処理が行われる。
【００３９】
ところで、ＷＥＢサイト１００に登録されるコンテンツは一般ユーザによるものもあり様々であるが、農産物の包装用パッケージの場合、同じようなりんご、きゅうり、じゃがいも等が並んだ棚で、パッケージによる差別化が行えるコンテンツのデザインが好ましい。例えば、選別されていないきゅうりが混じっているために値段が安いことを強調することができるデザインや、先ず手に取ってもらうための印象的なデザインや、より商品の安全性や良さを強調するために生産者のメッセージを入れたデザインや、高価格であることを納得させる理由（糖度が高いとか、朝取りであるとか）を明記したデザインなどが好ましい。また、対象物（商品）を包めるような折り線を印字したデザインも好ましい。また、道や駅の直売所で販売される場合は、誰が、どこで、何時、どのような方法で栽培したのか明示するだけでなく、より訴求力の強いキャラクタ等の意匠を含んだデザインが好ましい。
【００４０】
ここで、前述の各情報処理装置およびサーバのハードウェア構成について、図８を用いてその概要を説明する。図８は、前述の各情報処理装置およびサーバのハードウェア構成例を示す図である。
【００４１】
上述した情報埋込装置またはサーバは、あらかじめ用意されたプログラムをパーソナルコンピュータやワークステーションなどのコンピュータシステムで実行することによって実現できる。コンピュータは、ＣＰＵ（Ｃｅｎｔｒａｌ  Ｐｒｏｃｅｓｓｉｎｇ  Ｕｎｉｔ）８０１によって装置全体が制御されている。ＣＰＵ８０１には、バス８０５を介してメモリ８０３、記憶装置８０７、出力制御装置８０６、入力制御装置８０４が接続されている。メモリ８０３には、ＣＰＵ８０１に実行させるＯＳ（Ｏｐｅｒａｔｉｎｇ  Ｓｙｓｔｅｍ）のプログラムやアプリケーションプログラムの少なくとも一部が格納される。またメモリ８０３には、ＣＰＵ８０１による処理に必要な各種データが格納される。記憶装置８０７には、ＯＳ、各種ドライバプログラム、アプリケーションプログラム、各種データなどが格納される。さらに通信制御装置８０２は、コンピュータの外部との間でデータの送受信を実現させる。
【００４２】
出力制御装置８０６には、表示装置８０８およびプリンタ８０９が接続されている。出力制御装置８０６は、ＣＰＵ８０１からの命令に従って、画像を表示装置８０８の画面に表示させ、印刷データをプリンタ８０９に印刷出力させる。入力制御装置８０４には、キーボード８１０、ポインティングデバイス８１１およびスキャナ８１２が接続されている。入力制御装置８０４は、キーボード８１０やポインティングデバイス８１１から送られてくる信号を、バス８０５を介してＣＰＵ８０１に送信し、またＣＰＵ８０１からの命令に従ってスキャナ８１２を制御し、スキャナ８１２によりスキャンした画像データをバス８０５を介してＣＰＵ８０１に送信する。
【００４３】
以上のようなハードウェア構成によって、本実施形態の各情報処理装置およびサーバの処理機能を実現することができる。
【００４４】
なお、本実施形態の各情報処理装置およびサーバにおいて、それぞれの処理機能を実現させるプログラムは、インストール可能な形式又は実行可能な形式のファイルでＣＤ−ＲＯＭ、フロッピー（Ｒ）ディスク、ＤＶＤ等のコンピュータで読み取り可能な記録媒体に記録されて提供される。あるいは、上記プログラムを、インターネット等のネットワークに接続されたコンピュータ上に格納し、ネットワーク経由でダウンロードさせることにより提供および配布するように構成しても良い。
【００４５】
以上、本実施形態の情報処理システムの詳細を説明した。本実施形態の情報処理システムによれば、包装用パッケージの利用者が、多数のパッケージ用のコンテンツから所望のコンテンツを自ら選択し印刷して利用できるとともに、一般人を含む多数のコンテンツのデザイナがコンテンツの提供に参画でき、利用者およびデザイナがともに利益を享受できる環境を実現することができる。
【符号の説明】
【００４６】
１００…ＷＥＢサイト
１０１…ネット登録コンテンツＤＢ
１０２…契約デザイナコンテンツＤＢ
１０３…デザイナ情報ＤＢ
１０４…会員情報ＤＢ
１０５…お勧め情報記憶部
１１１…一般ユーザネット登録処理部
１１２…契約デザイナ登録処理部
１１３…コンテンツランク付加・更新処理部
１１４…コンテンツ配信処理部
１１５…課金・支払計算処理部
１１６…人気投票受付処理部
２００、２１０、３００、４００、５００…コンピュータ
３１０…パッケージ（包装用パッケージ）
３２０…二次元バーコード
３３０…提携ＷＥＢサイト
３４０…関連情報配信部
８０１…ＣＰＵ
８０２…通信制御装置
８０３…メモリ
８０４…入力制御装置
８０５…バス
８０６…出力制御装置
８０７…記憶装置
８０８…表示装置
８０９…プリンタ
８１０…キーボード
８１１…ポインティングデバイス
８１２…スキャナ
【先行技術文献】
【特許文献】
【００４７】
【特許文献１】特開２００３−７６５３４号公報
【特許文献２】特開２００７−１０２８０２号公報
【図１】
0005605075.tif 000002
【図２】
0005605075.tif 000003
【図３】
0005605075.tif 000004
【図４】
0005605075.tif 000005
【図５】
0005605075.tif 000006
【図６】
0005605075.tif 000007
【図７】
0005605075.tif 000008
【図８】
0005605075.tif 000009